(57)【要約】【課題】一般利用者に対するプライバシー保護に配慮しつつ、エレベータの管理者が部外者によるなりすましを発見することが可能であるエレベータ用防犯装置を提供する。【解決手段】エレベータ用防犯装置において、エレベータの乗りかご１内の状況を撮影して映像データとして出力するカメラ２と、複数の映像データ出力チャンネルを有し、前記カメラ２からの前記乗りかご１内の状況の前記映像データを受けて、前記映像データを前記複数の映像出力チャンネルへと出力するレコーダ３と、を備え、前記レコーダ３は、前記複数の映像データ出力チャンネルのうちある一の前記映像データ出力チャンネルと他の映像出力チャンネルとで互いに異なるオーバーレイ表示挿入処理を行う構成とする。【選択図】図１
2011026025.tif 000002
【特許請求の範囲】
【請求項１】
エレベータの乗りかご内の状況を撮影して映像データとして出力するカメラと、
複数の映像データ出力チャンネルを有し、前記カメラからの前記乗りかご内の状況の前記映像データを受けて、前記映像データを前記複数の映像出力チャンネルへと出力するレコーダと、を備え、
前記レコーダは、前記複数の映像データ出力チャンネルのうちある一の前記映像データ出力チャンネルと他の映像出力チャンネルとで互いに異なるオーバーレイ表示挿入処理を行うことを特徴とするエレベータ用防犯装置。
【請求項２】
前記レコーダは、前記オーバーレイ表示挿入処理を、前記映像データの前記レコーダに対する入力に対し即時的に行うことを特徴とする請求項１に記載のエレベータ用防犯装置。
【請求項３】
前記エレベータの乗場に設けられ、前記映像データを表示する乗場モニタと、
前記乗りかご内の状況を監視するための管理室内に設けられ、前記映像データを表示する管理室モニタと、をさらに備え、
前記レコーダの有する前記複数の映像データ出力チャンネルは、前記乗場モニタへと前記映像データを出力する乗場モニタ用出力チャンネル及び前記管理室モニタへと前記映像データを出力する管理室モニタ用出力チャンネルを含み、
前記レコーダは、前記乗場モニタ用出力チャンネルと管理室モニタ用出力チャンネルとで互いに異なるオーバーレイ表示挿入処理を行うことを特徴とする請求項１又は請求項２のいずれかに記載のエレベータ用防犯装置。
【請求項４】
前記レコーダは、前記乗場モニタ用出力チャンネルに対して、前記エレベータの搭乗時に認証した利用者の前記映像データ内の位置にマスクをかけるオーバーレイ表示挿入処理を行い、前記管理室モニタ用出力チャンネルに対して、前記利用者の前記映像データ内の位置にはマスクをかけないオーバーレイ表示挿入処理を行うことを特徴とする請求項３に記載のエレベータ用防犯装置。
【請求項５】
前記レコーダは、前記管理室モニタ用出力チャンネルに対して、前記利用者の前記映像データ内の位置に、前記乗場モニタ用出力チャンネルに対して行われるオーバーレイ表示挿入処理の前記マスクの輪郭部分を表示し、前記輪郭部分の内側にはマスクをかけないオーバーレイ表示挿入処理を行うことを特徴とする請求項４に記載のエレベータ用防犯装置。
【請求項６】
前記レコーダは、前記管理室モニタ用出力チャンネルに対して、前記利用者を特定するための情報を表示するオーバーレイ表示挿入処理を行うことを特徴とする請求項４又は請求項５のいずれかに記載のエレベータ用防犯装置。
【請求項７】
前記レコーダは、前記管理室モニタ用出力チャンネルに対して、一般の利用者には開示しない前記レコーダの動作情報を表示するオーバーレイ表示挿入処理を行うことを特徴とする請求項３に記載のエレベータ用防犯装置。
【請求項８】
前記乗りかご内に設けられ、外部記憶媒体を接続可能な接続コネクタをさらに備え、
前記レコーダは、前記カメラからの前記映像データを記録し、
前記一般の利用者に開示しない前記レコーダの動作情報は、前記外部記憶媒体を前記接続コネクタに接続して前記レコーダに記録された前記映像データの前記外部記憶媒体へのデータ複製作業を行っている際におけるコピー進捗率であることを特徴とする請求項７に記載のエレベータ用防犯装置。
【発明の詳細な説明】
【技術分野】
【０００１】
この発明は、エレベータ用防犯装置に関するものである。
【背景技術】
【０００２】
従来におけるエレベータ用防犯装置としては、エレベータ利用者のプライバシー保護にも配慮したものとして、エレベータの乗りかご内から利用者の画像を撮像するカメラと、画像情報を表示部に送信する画像送信部と、予め登録されたＩＤを受信するＩＤ受信部と、予め複数の人物情報が登録され、ＩＤ受信部により受信されたＩＤについて当該ＩＤに対応する人物情報が登録されているか否かを判定する個人認証部と、乗りかご内の利用履歴情報を記憶する利用記録部と、を備えた防犯装置において、個人認証部は、ＩＤ受信部により受信されたＩＤについて当該ＩＤに対応する人物情報が登録されている場合に、撮像された画像情報を送信することを停止し、個人認証部に登録された人物情報が含まれていたことを示す情報を利用記憶部に記録するものや、個人認証部に予め登録された人物情報がカメラで撮像された画像情報に含まれていた場合に、画像情報内の当該人物情報を含む任意の情報にマスクをかける画像加工部をさらに備え、画像送信部は表示部に画像加工部によりマスクされた情報を送信するものが知られている（例えば、特許文献１参照）。
【先行技術文献】
【特許文献】
【０００３】
【特許文献１】特開２００４−０４８５１９号公報
【発明の概要】
【発明が解決しようとする課題】
【０００４】
このように、特許文献１に示された従来におけるエレベータ用防犯装置は、携帯情報端末や無線タグのＩＤによる認証や生体認証による個人認証に基づき、特定人物の画像にマスク処理等を行うものである。
しかしながら、この特許文献１に示された従来におけるエレベータ用防犯装置においては、画像配信先となるモニタが、特別な利用者が携帯する携帯情報端末のモニタ、各階床に設けられたモニタや管理室に設けられたモニタ等、どこに設けられたどのようなモニタであるかについては区別をしておらず、管理室向けのモニタ画像についても、画像配信を一時停止したり、マスクをかける加工処理を行った画像を配信したりするため、管理者が部外者によるなりすましを発見することができないという課題がある。
【０００５】
また、特許文献１に示された従来におけるエレベータ用防犯装置においては、携帯型ＵＳＢメモリ等の外部記憶媒体に、カメラにより撮影された映像データを複製・保存するといった作業については特に考慮がされていない。
このため、外部記憶媒体を乗りかご内操作盤のコネクタに接続してデータ複製作業を行っている際に、複製が完了するまで作業者が乗りかご内で待機しなければならず、当該エレベータの運行を中止しなければならないという課題や、当該作業者は本来の監視業務を行うことができないという課題もある。
【０００６】
この発明は、このような課題を解決するためになされたもので、第１の目的は、一般利用者に対するプライバシー保護に配慮しつつ、エレベータの管理者が部外者によるなりすましを発見することが可能であるエレベータ用防犯装置を得るものである。
また、第２の目的は、外部記憶媒体を乗りかご内操作盤のコネクタに接続してデータ複製作業を行っている際に、作業者が乗りかご内で待機する必要がなく、当該エレベータの運行を継続することができるとともに、当該作業者は本来の監視業務を行うことが可能であるエレベータ用防犯装置を得るものである。
【課題を解決するための手段】
【０００７】
この発明に係るエレベータ用防犯装置においては、エレベータの乗りかご内の状況を撮影して映像データとして出力するカメラと、複数の映像データ出力チャンネルを有し、前記カメラからの前記乗りかご内の状況の前記映像データを受けて、前記映像データを前記複数の映像出力チャンネルへと出力するレコーダと、を備え、前記レコーダは、前記複数の映像データ出力チャンネルのうちある一の前記映像データ出力チャンネルと他の映像出力チャンネルとで互いに異なるオーバーレイ表示挿入処理を行う構成とする。
【発明の効果】
【０００８】
この発明に係るエレベータ用防犯装置においては、一般利用者に対するプライバシー保護に配慮しつつ、エレベータの管理者が部外者によるなりすましを発見することが可能であるという効果を奏する。
【図面の簡単な説明】
【０００９】
【図１】この発明の実施の形態１に係るエレベータ用防犯装置の全体構成を示す図である。
【図２】この発明の実施の形態１に係るレコーダの構成を示すブロック図である。
【図３】この発明の実施の形態１に係るエレベータ用防犯装置の動作の流れを示すフロー図である。
【図４】この発明の実施の形態２に係るエレベータ用防犯装置の全体構成を示す図である。
【図５】この発明の実施の形態２に係るレコーダの構成を示すブロック図である。
【図６】この発明の実施の形態２に係るエレベータ用防犯装置の動作の流れを示すフロー図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図３は、この発明の実施の形態１に係るもので、図１はエレベータ用防犯装置の全体構成を示す図、図２はレコーダの構成を示すブロック図、図３はエレベータ用防犯装置の動作の流れを示すフロー図である。
図において１はエレベータの昇降路（図示せず）内に昇降自在に配置された乗りかごである。この乗りかご１内の天井近傍には、この乗りかご１内の状況を常時撮影し、映像データとして出力するカメラ２が設置され、このカメラ２から出力された映像データはレコーダ３へと入力される。
【００１２】
乗りかご１内には、利用者５が操作することによりかご行先階呼び登録やかご戸の戸開閉を行うための各種ボタンが設けられたかご内操作盤４が設置されている。
また、このかご内操作盤４には、利用者５が携帯する認証カード６の記録内容を読取る認証端末４ａが設けられている。認証カード６にはこれを携帯する利用者５を識別するための、利用者５毎に固有な個人識別番号が記録されており、認証端末４ａにより読取られた認証カード６に記録された個人識別番号に関する情報はレコーダ３へと送信される。なお、この場合における認証カード６に記録された内容の読取方式としては、接触型及び非接触型のいずれも用いることができる。
【００１３】
乗りかご１が停止する各階床の乗場には、カメラ２により撮影された乗りかご１内の状況の映像データを常時表示する乗場モニタ７が設置されている。
また、当該エレベータが据付された建物内又は当該建物外には当該エレベータの乗りかご内の状況監視を含めた当該エレベータの運行管理を行うための管理室８が設けられており、この管理室８内には、乗場モニタ７と同じくカメラ２により撮影された乗りかご１内の状況の映像データを常時表示する管理室モニタ９が設置されている。
【００１４】
レコーダ３は、乗場モニタ用出力チャンネル及び管理室モニタ用出力チャンネルの２つの映像データ出力チャンネルを有しており、認証端末４ａからの個人識別番号情報に基づいて、乗場モニタ用及び管理室モニタ用それぞれのオーバーレイ表示を、カメラ２からの映像データ入力に対し即時的に（リアルタイムで）挿入した上で、乗場モニタ用出力チャンネルから乗場モニタ７へと乗場モニタ用オーバーレイ挿入済みの映像データを出力し、管理室モニタ用出力チャンネルから管理室モニタ９へと管理室モニタ用オーバーレイ挿入済みの映像データを出力する。
【００１５】
ここで、乗場モニタ用オーバーレイ表示とは、カメラ２からの映像データに対し、エレベータ搭乗時に認証した利用者５の映像内の位置にマスクをかけて、当該利用者が誰であるのかを視認できないようにするオーバーレイ表示である。
また、管理室モニタ用オーバーレイ表示とは、カメラ２からの映像データに対し、乗場モニタ用オーバーレイ表示におけるマスクの輪郭部分のみを表示して、この輪郭部分の内側にはマスクをかけず当該利用者がそのまま表示されるとともに、この輪郭部分の近傍に当該利用者を特定するための情報である個人識別番号を表示するオーバーレイ表示である。
【００１６】
そして、レコーダ３の乗場モニタ用出力チャンネルから出力された映像データを受けた乗場モニタ７は、乗場モニタ用オーバーレイ挿入済みの映像データを表示し、レコーダ３の管理室モニタ用出力チャンネルから出力された映像データを受けた管理室モニタ９は、管理室モニタ用オーバーレイ挿入済みの映像データを表示する。
【００１７】
レコーダ３は、図２に示すごとく、個人映像記憶部３ａ、映像判定部３ｂ及び情報挿入部３ｃを有している。
個人映像記憶部３ａは、認証カード６を持っている各利用者５のうち、映像にマスクをかける利用者５それぞれの個人映像を、当該利用者５の個人識別番号と対応付けて予め記憶している。
そして、個人映像記憶部３ａは、認証端末４ａにより読取られた個人識別番号の入力を受けて、当該個人識別番号に対応する個人映像が記憶されている場合には、認証「ＯＫ」とし、当該個人識別番号に対応する個人映像が記憶されていない場合には、認証「ＮＧ」とする。この認証が「ＯＫ」であった場合には、認証「ＯＫ」とされた当該個人識別番号に関する情報及び当該個人識別番号に対応する個人映像のデータを映像判定部３ｂへと送信する。
【００１８】
映像判定部３ｂは、カメラ２から入力された乗りかご１内の状況の映像データと個人映像記憶部３ａから入力された個人映像のデータとの比較を行う。
そして、この比較において、両データに同一の人物が存在していると判定した場合には、カメラ２による乗りかご１内の映像データ上における当該人物の位置を特定し、この位置情報及び当該人物の個人識別番号を情報挿入部３ｃへと送信する。
また、両データに同一の人物が存在していると判定した後も、カメラ２から入力された乗りかご１内の状況の映像データと個人映像記憶部３ａから入力された個人映像のデータとの比較を継続し、両データに同一の人物が存在しなくなったと判定した場合には、次に述べるオーバーレイ表示の挿入を停止させる。
【００１９】
情報挿入部３ｃは、カメラ２から入力された乗りかご１内の状況の映像データに対して、映像判定部３ｂから入力された前記位置情報の領域にマスクのオーバーレイ表示１０ａ（乗場モニタ用オーバーレイ表示）を挿入し、乗場モニタ用出力チャンネルから映像データを出力する。
また、情報挿入部３ｃは、カメラ２から入力された乗りかご１内の状況の映像データに対して、映像判定部３ｂから入力された前記位置情報の領域に輪郭線のオーバーレイ表示を挿入するとともに、この輪郭線の近傍に映像判定部３ｂから入力された個人識別番号をオーバーレイ表示として挿入する（両者をあわせて、輪郭線及び個人識別番号のオーバーレイ表示１０ｂ、という。）。そして、輪郭線及び個人識別番号のオーバーレイ表示１０ｂ（管理室モニタ用オーバーレイ表示）を挿入した映像データを管理室モニタ用出力チャンネルから出力する。
【００２０】
この実施の形態にあっては、エレベータ用防犯装置は、図３に示す一連のフローに従って動作する。
すなわち、まず、常時において、カメラ２により撮影された乗りかご１内の状況の映像は、レコーダ３を介して乗場モニタ７及び管理室モニタ９に表示されている。そして、乗りかご１内に搭乗した利用者５は、自身の映像を乗場モニタ７に表示させたくない場合に、認証カード６を認証端末４ａにかざす等して、認証カード６の記録内容を読取らせる。
そうすると、ステップＳ１において、認証端末４ａは読取った認証カード６に記録されていた個人識別番号をレコーダ３へと送信し、レコーダ３の個人映像記憶部３ａが当該個人識別番号を受信する。
【００２１】
そして、続くステップＳ２において、個人識別番号を受信した個人映像記憶部３ａは、当該個人識別番号に対応する個人映像が自身（個人映像記憶部３ａ）に記憶されているか否か検索を行う。この検索において当該個人識別番号に対応する個人映像が発見され、当該個人識別番号に対応する個人映像が個人映像記憶部３ａに記憶されている場合には、認証「ＯＫ」としてステップＳ３へと移行する。
一方、この検索において当該個人識別番号に対応する個人映像が発見されず、当該個人識別番号に対応する個人映像が個人映像記憶部３ａに記憶されていない場合には、認証「ＮＧ」としてステップＳ７へと至り、一連の動作フローは終了する。
【００２２】
ステップＳ２において認証「ＯＫ」とされた当該個人識別番号及び当該個人識別番号に対応する個人映像のデータは、個人映像記憶部３ａから映像判定部３ｂへと送信される。そして、ステップＳ３において、映像判定部３ｂは、乗りかご１内の状況の映像データと認証された利用者５の個人映像のデータとの比較を行い、両データに同一の人物が存在している、すなわち、カメラ２からの乗りかご１内の状況の映像データ内に認証された利用者５が存在している場合には、カメラ２による乗りかご１内の映像データ上における当該利用者５の位置を特定し、この位置情報及び当該利用者５の個人識別番号を情報挿入部３ｃへと送信する。
【００２３】
続くステップＳ４においては、情報挿入部３ｃは、映像判定部３ｂからの位置情報に基づいて、カメラ２による乗りかご１内の映像データに対して、当該映像データ上の当該利用者５の位置に、複数の映像データ出力チャンネル毎に互いに異なるオーバーレイ表示を挿入する。
すなわち、ここでは、乗場モニタ用出力チャンネル及び管理室モニタ用出力チャンネルの２つの映像データ出力チャンネル毎に互いに異なるオーバーレイ表示である乗場モニタ用オーバーレイ表示及び管理室モニタ用オーバーレイ表示をそれぞれ挿入する。
【００２４】
より詳しくは、前述のごとく、情報挿入部３ｃは、カメラ２からの映像データに対し、映像判定部３ｂからの前記位置情報の領域にマスクのオーバーレイ表示１０ａを挿入し、乗場モニタ用出力チャンネルへと出力する。
また、情報挿入部３ｃは、カメラ２からの映像データに対し、映像判定部３ｂからの前記位置情報に基づいて輪郭線及び個人識別番号のオーバーレイ表示１０ｂを挿入し、管理室モニタ用出力チャンネルへと出力する。
【００２５】
このステップＳ４の処理中においても、映像判定部３ｂは、乗りかご１内の状況の映像データと認証された利用者５の個人映像のデータとの比較を継続しており、カメラ２からの乗りかご１内の状況の映像データ内において認証された利用者５が認識できるか否か（両データに同一の人物が存在しているか否か）の判定を行っている（ステップＳ５）。
この判定において、カメラ２からの乗りかご１内の状況の映像データ内において認証された利用者５が認識できないと判定され、すなわち、認証された当該利用者５が乗りかご１外へと移動したと判断されるまで、このステップＳ５の判定が繰返される。
【００２６】
そして、このステップＳ５において、カメラ２からの映像データ内に認証された当該利用者５が認識できず、当該利用者５が乗りかご１外へと移動したと判断される場合には、ステップＳ６へと移りステップＳ４で実行していた情報挿入部３ｃによるマスクのオーバーレイ表示１０ａ並びに輪郭線及び個人識別番号のオーバーレイ表示１０ｂの挿入を停止する。その後、ステップＳ７へと至り、一連の動作フローは終了する。
【００２７】
以上のように構成されたエレベータ用防犯装置は、エレベータの乗りかご内の状況を撮影して映像データとして出力するカメラと、複数の映像データ出力チャンネルを有し、カメラからの乗りかご内の状況の映像データを受けて、映像データを複数の映像出力チャンネルへと出力するレコーダと、を備え、このレコーダは、複数の映像データ出力チャンネルのうちある一の映像データ出力チャンネルと他の映像出力チャンネルとで互いに異なるオーバーレイ表示挿入処理を行うものである。
【００２８】
そして、レコーダの有する複数の映像データ出力チャンネルは、乗場モニタへと映像データを出力する乗場モニタ用出力チャンネル及び管理室モニタへと映像データを出力する管理室モニタ用出力チャンネルを含み、レコーダは、乗場モニタ用出力チャンネルと管理室モニタ用出力チャンネルとで互いに異なるオーバーレイ表示挿入処理を行うものであり、乗場モニタ用出力チャンネルに対しては、エレベータの搭乗時に認証した利用者の映像データ内の位置にマスクをかけるオーバーレイ表示挿入処理を行い、管理室モニタ用出力チャンネルに対しては、利用者の映像データ内の位置にはマスクをかけないオーバーレイ表示挿入処理を行う。
従って、一般利用者に対するプライバシー保護に配慮しつつ、エレベータの管理者が部外者によるなりすましを発見することが可能である。
【００２９】
また、管理室モニタ用出力チャンネルに対して、利用者の映像データ内の位置にマスクの輪郭部分を表示し、輪郭部分の内側にはマスクをかけないオーバーレイ表示挿入処理を行うことにより、管理者は管理室モニタの映像により、乗場モニタに表示される映像にマスクが挿入されていること及びそのマスクの挿入位置を確認することができる。
【００３０】
さらにまた、このレコーダは、管理室モニタ用出力チャンネルに対して、利用者を特定するための情報である個人識別番号を表示するオーバーレイ表示挿入処理を行うことで、部外者によるなりすましが誰の認証カードを用いて行われているのかを管理者が知ることができる。
【００３１】
実施の形態２．
図４から図６は、この発明の実施の形態２に係るもので、図４はエレベータ用防犯装置の全体構成を示す図、図５はレコーダの構成を示すブロック図、図６はエレベータ用防犯装置の動作の流れを示すフロー図である。
【００３２】
前述した実施の形態１は、乗りかご内を撮影したカメラの映像データに対して、映像データ出力チャンネル毎に異なるオーバーレイ表示を挿入し、具体的には乗場モニタ用としてマスクのオーバーレイ表示を挿入し、管理室モニタ用として輪郭線及び個人識別番号のオーバーレイ表示を挿入するものであったが、ここで説明する実施の形態２は、一般の利用者には開示しないレコーダの動作情報、例えば、外部記憶媒体を乗りかご内操作盤のコネクタに接続してデータ複製作業を行っている際におけるコピー進捗率、を、管理室モニタ用出力チャンネルのみにオーバーレイ表示として挿入し、乗場モニタ用出力チャンネルにはオーバーレイ表示を挿入しないようにしたものである。
【００３３】
すなわち、乗りかご１内のかご内操作盤４には、正面に施錠可能な開閉扉が設けられた箱体である鍵付ボックス４ｂが設置されており、この鍵付ボックス４ｂ内には携帯型メモリ接続コネクタ４ｃが設けられている。
この携帯型メモリ接続コネクタ４ｃは、例えば携帯型ＵＳＢメモリ等の外部記憶媒体である携帯型メモリ１１と接続可能であり、携帯型メモリ接続コネクタ４ｃに接続された携帯型メモリ１１とレコーダ３との間で映像データ等のやり取りが可能である。
【００３４】
レコーダ３は、乗場モニタ用出力チャンネル及び管理室モニタ用出力チャンネルの２つの映像データ出力チャンネルを有している。
そして、カメラ２からの乗りかご１内の状況を撮影した映像データの入力を受けて、この映像データを記録するとともに、乗場モニタ用出力チャンネルにはオーバーレイ表示を挿入せずにカメラ２からの映像データをそのまま出力し、管理室モニタ用出力チャンネルには管理室モニタ用オーバーレイ挿入済みの映像データを出力する。この管理室モニタ用オーバーレイ表示とは、一般の利用者には開示しないレコーダ３の動作情報、ここではレコーダ３内に記録された映像データを携帯型メモリ１１に複製・保存する際におけるこの複製・保存作業の進捗率、を表示するオーバーレイ表示である。
【００３５】
レコーダ３は、図５に示すごとく、映像記録部３ｄ、コピー制御部３ｅ及び情報挿入部３ｃを有している。
映像記録部３ｄには、カメラ２から入力された乗りかご１内の状況の映像データが時系列で記録されている。
【００３６】
コピー制御部３ｅは、携帯型メモリ１１が携帯型メモリ接続コネクタ４ｃに接続されたかどうかを監視しており、携帯型メモリ１１が携帯型メモリ接続コネクタ４ｃに接続されたことを検知すると、まず、携帯型メモリ１１の容量を読取る。
次に、映像記録部３ｄから記録された映像データを最新から過去へと時系列を遡りながら順次取出し、レコーダ３の携帯型メモリ用出力から携帯型メモリ接続コネクタ４ｃを介して携帯型メモリ１１へと転送する。
【００３７】
そして、レコーダ３からの映像データの総転送量と、携帯型メモリ１１の容量を比較して、コピー進捗率（携帯型メモリ１１の容量一杯まで映像データを転送する場合における当該転送処理の進捗率）を算出し、このコピー進捗率の情報を情報挿入部３ｃへと逐次送信する。
また、コピー制御部３ｅは、このコピー進捗率が１００％になると、その旨を情報挿入部３ｃに送信するとともに、映像記録部３ｄに記録された映像データの携帯型メモリ１１への転送を停止する。
【００３８】
情報挿入部３ｃは、カメラ２から入力された乗りかご１内の状況の映像データに対して、コピー制御部３ｅから逐次受信するコピー進捗率の情報に基づいてこのコピー進捗率（例えば百分率％表示）を表示するコピー進捗率のオーバーレイ表示１０ｃ（管理室モニタ用オーバーレイ表示）を挿入し、管理室モニタ用出力チャンネルから映像データを出力する。
また、情報挿入部３ｃは、コピー制御部３ｅからコピー進捗率が１００％になった旨を受信すると、管理室モニタ用出力チャンネルへと出力する映像データに対して、「進捗１００％」等の進捗率が１００％に達したすなわち転送処理が終了した旨のコピー進捗率のオーバーレイ表示１０ｃを所定時間の間（例えば１分間）挿入した後、このコピー進捗率のオーバーレイ表示１０ｃの挿入を停止する。
【００３９】
そして、乗場モニタ用出力チャンネルから出力される映像データに対しては、情報挿入部３ｃはオーバーレイ表示を挿入せず、乗場モニタ用出力チャンネルからはカメラ２から入力された乗りかご１内の状況の映像データがそのまま出力される。
なお、以上説明した以外の他の構成については実施の形態１と同様である。
【００４０】
この実施の形態にあっては、エレベータ用防犯装置は、図６に示す一連のフローに従って動作する。
すなわち、まず、常時において、カメラ２により撮影された乗りかご１内の状況の映像は、レコーダ３を介して乗場モニタ７及び管理室モニタ９に表示されるとともに、この映像データはレコーダ３の映像記録部３ｄに時系列で記録されている。
そして、乗りかご１内に搭乗した管理者１２は、かご内操作盤４の鍵付ボックス４ｂを解錠して開き、この鍵付ボックス４ｂ内の携帯型メモリ接続コネクタ４ｃに携帯型メモリ１１を接続した後、鍵付ボックス４ｂを閉めて施錠する。
【００４１】
レコーダ３のコピー制御部３ｅは、常時、携帯型メモリ１１が携帯型メモリ接続コネクタ４ｃに接続されたかどうかを監視しており、携帯型メモリ１１を認識したか否かについて判断を行っている（ステップＳ１１）。
そして、この判断において、コピー制御部３ｅが携帯型メモリ接続コネクタ４ｃに接続された携帯型メモリ１１を認識した場合には、ステップＳ１２へと移行する。一方、この判断において、コピー制御部３ｅが携帯型メモリ接続コネクタ４ｃに接続された携帯型メモリ１１を認識しない場合には、ステップＳ１７へと至り一連の動作フローは終了する。
【００４２】
ステップＳ１２においては、コピー制御部３ｅは、映像記録部３ｄから記録された映像データを最新から過去へと時系列を遡りながら順次取出し、レコーダ３の携帯型メモリ用出力から携帯型メモリ接続コネクタ４ｃを介して携帯型メモリ１１へと転送するとともに、ステップＳ１１の携帯型メモリ１１認識時に読取った携帯型メモリ１１の容量に基づいて算出したコピー進捗率を情報挿入部３ｃへと随時通知する。
【００４３】
そして、続くステップＳ１３において、レコーダ３の情報挿入部３ｃは、カメラ２による乗りかご１内の映像データに対して、複数の映像データ出力チャンネル毎に互いに異なるオーバーレイ表示を挿入する。
すなわち、ここでは、管理室モニタ用出力チャンネルの映像データにはコピー制御部３ｅから通知されるコピー進捗率を表示するコピー進捗率のオーバーレイ表示１０ｃを随時挿入する一方、乗場モニタ用出力チャンネルの映像データには、管理室モニタ用と異なりオーバーレイ表示を挿入しない。
【００４４】
次のステップＳ１４において、コピー制御部３ｅは、携帯型メモリ１１へのデータ転送が進みコピー進捗率が１００％になったか否かについて確認を行う。そして、コピー進捗率が１００％になったことが確認されるまでこのステップＳ１４を繰返してコピー進捗率が１００％になるのを待ち、コピー進捗率が１００％になったことが確認された場合にはステップＳ１５へと進む。
このステップＳ１５においては、コピー制御部３ｅは、コピー進捗率が１００％になったことを受けて、映像記録部３ｄに記録された映像データの携帯型メモリ１１への転送を停止するとともに、このコピー進捗率が１００％になった旨を情報挿入部３ｃに通知する。
【００４５】
続くステップＳ１６において、情報挿入部３ｃは、コピー制御部３ｅからコピー進捗率が１００％になった旨の通知を受けて、管理室モニタ用出力チャンネルへと出力する映像データに対して、進捗率が１００％に達した旨のコピー進捗率のオーバーレイ表示１０ｃを所定時間の間（ここでは例えば１分間）挿入した後、このコピー進捗率のオーバーレイ表示１０ｃの挿入を停止する。
そして、ステップＳ１７へと至り一連の動作フローは終了する。
【００４６】
以上のように構成されたエレベータ用防犯装置は、エレベータの乗りかご内の状況を撮影して映像データとして出力するカメラと、複数の映像データ出力チャンネルを有し、カメラからの乗りかご内の状況の映像データを受けて、映像データを複数の映像出力チャンネルへと出力するレコーダと、を備え、レコーダは、複数の映像データ出力チャンネルのうちある一の映像データ出力チャンネルと他の映像出力チャンネルとで互いに異なるオーバーレイ表示挿入処理を行うものである。
【００４７】
そして、管理室モニタ用出力チャンネルに対して、一般の利用者には開示しないレコーダの動作情報であるレコーダに記録された映像データの外部記憶媒体へのデータ複製作業を行っている際におけるコピー進捗率を表示するオーバーレイ表示挿入処理を行い、乗場モニタ用出力チャンネルに対して、オーバーレイ表示を挿入しないというオーバーレイ表示挿入処理を行うことにより、外部記憶媒体を乗りかご内操作盤のコネクタに接続してデータ複製作業を行っている際に、作業者が乗りかご内で待機する必要がなく、当該エレベータの運行を継続することができるとともに、当該作業者は本来の監視業務を行うことが可能である。
【符号の説明】
【００４８】
１    乗りかご
２    カメラ
３    レコーダ
３ａ  個人映像記憶部
３ｂ  映像判定部
３ｃ  情報挿入部
３ｄ  映像記録部
３ｅ  コピー制御部
４    かご内操作盤
４ａ  認証端末
４ｂ  鍵付ボックス
４ｃ  携帯型メモリ接続コネクタ
５    利用者
６    認証カード
７    乗場モニタ
８    管理室
９    管理室モニタ
１０ａ  マスクのオーバーレイ表示
１０ｂ  輪郭線及び個人識別番号のオーバーレイ表示
１０ｃ  コピー進捗率のオーバーレイ表示
１１    携帯型メモリ
１２    管理者
【図１】
2011026025.tif 000003
【図２】
2011026025.tif 000004
【図３】
2011026025.tif 000005
【図４】
2011026025.tif 000006
【図５】
2011026025.tif 000007
【図６】
2011026025.tif 000008